(57)【特許請求の範囲】
【請求項１】
入賞口を設けた開口部の前方に、垂直状のガイド板を、球が通過可能な隙間をもって配設し、
開口部には、上端が上向きから前向きに回動されたときに入賞口を開放する前扉を配設したうえに、
この前扉の裏面には、前扉が開放状態にあるときに球をガイド板との間で挟持しつつ入賞口に向けて案内するための、ガイド部を形成したことを特徴とする遊技機の入賞装置。
【請求項２】
前扉の裏面に球を後方に導くための板状部が設けられ、この板状部に向けて徐々に曲率半径が小さくなる円弧面を有するガイド部が形成されている請求項１に記載の遊技機の入賞装置。
【請求項３】
板状部に隣接して開口部に、球計数センサーが入賞口として配設されている請求項２に記載の遊技機の入賞装置。
【請求項４】
板状部が前扉の裏側の一端に形成されたことを特徴とする請求項２又は３に記載の遊技機の入賞装置。
【発明の詳細な説明】
【技術分野】
【０００１】
本発明は、遊技機の入賞口を開閉するための前扉を備えた入賞装置に関するものである。
【背景技術】
【０００２】
パチンコ機等の遊技機の遊技領域には、入賞口を開閉するための前扉を備えた複数の入賞装置が設置されている。入賞装置の一つである大入賞装置は、横長の長方形の入賞口を開閉する長方形の前扉が枢設されている。前扉は下端に回転軸が設けられ上端が上方と前方（遊技者側）に回動することによって入賞口を開閉する。前扉の上端が前方に傾倒されたときに、この前扉はその裏面で遊技領域を流下する球を受け止めて入賞口に入賞させる。
【０００３】
遊技領域の中央には、変動図柄表示装置を備えたセンター役物が設けられ、その下方には始動入賞口が配置されている。始動入賞口に球が入賞することを条件に図柄が変動し、停止した時の図柄が所定の組み合わせに揃ったときに、いわゆる大当たりとなって入賞装置の前扉が開放される。そして、入賞口内に設けられた球計数センサーが所定数の球の通過を検出したとき、或いは所定の時間が経過したときに、前扉は上方に回動されて入賞口は閉鎖される。
【０００４】
従来の入賞装置においては、例えば特許文献１に記載されているように、球計数センサーが所定の個数の球を検出した場合であっても、前扉の裏面に乗っている球や未だ球計数センサーで検出されていない入賞口内に存在している球は前扉の閉鎖とともに入賞口に取り込まれてしまうこととなる。その結果、所定数以上の賞球が払い出されることとなって、ホール側に不利益を与える結果となっていた。
【０００５】
また、従来は、特許文献１の図７に示されるように、入賞装置のケース内には球を球計数センサーまで導くための底板が、球計数センサーに向かって下り傾斜となるように配設されていた。したがって、底板を設ける分だけ入賞装置は後方に拡張されるし、また、下り傾斜とする分全高が高くなってしまうものであった。しかしながら、近年は遊技内容の複雑化に伴い変動図柄表示装置の表示形態が複雑になって、遊技領域に占めるセンター役物の占める割合が大きくなってきた。このようなセンター役物の大型化は各種の装飾部材を配置するスペースが狭くなることもあって、入賞装置にも特に縦方向の小型化に対する要求が強くなってきている。
【特許文献１】特開２０００−０３７５１８号公報
【発明の開示】
【発明が解決しようとする課題】
【０００６】
本発明は、上記した従来の問題点に鑑み、予定数以上に球が払い出されることがなく、且つ小型化が可能な遊技機の入賞装置を提供することを課題とする。
【課題を解決するための手段】
【０００７】
上記の課題を解決するためになされた本発明の遊技機の入賞装置は、入賞口を設けた開口部の前方に、垂直状のガイド板を、球が通過可能な隙間をもって配設し、
開口部には、上端が上向きから前向きに回動されたときに入賞口を開放する前扉を配設したうえに、
この前扉の裏面には、前扉が開放状態にあるときに球をガイド板との間で挟持しつつ入賞口に向けて案内するための、ガイド部を形成したことを特徴とするものである。
【０００８】
上記した発明においては、前扉の裏面に球を後方に導くための板状部が設けられ、この板状部に向けて徐々に曲率半径が小さくなる円弧面を有するガイド部が形成されている。また、板状部に隣接して開口部に、球計数センサーが入賞口として配設されており、さらに、板状部が前扉の裏側の一端に形成されている。
【発明の効果】
【０００９】
請求項１に係る発明は、球案内用のガイド部を開口部の前方に位置させることができるので、従来は入賞装置の入賞口内に設けていた横方向に傾斜する底板を設ける必要がなくなって、その分入賞装置の前後方向の幅と全高とを小さくすることができる。
【００１０】
請求項２に係る発明は、ガイド部が曲面で形成されているので、球計数センサーが所定数の球をカウントしたときに前扉が閉鎖された場合、前扉に乗っていた球は入賞口内に入ることなく下方に落下する。よって、球を余分に入賞させることがない。また、曲面で形成された前扉には厚みがあるので、従来の板形状の前扉と比較した場合、強度的に優れている。
【００１１】
請求項３に係る発明は、構造上、開口部内には未検出の球が存在し得ないので、球を余分に入賞させることがない。
【００１２】
請求項４に係る発明は、板上部には片側からしか球が流入しないので、入賞口入り口で球詰まりを起こすことなく滑らかに入賞口内に流入させることができる。
【発明を実施するための最良の形態】
【００１３】
以下に本発明の実施形態を図面に基づき説明する。
図１〜３は、本発明の入賞装置を示す図であって、１は前扉装着部材、２は本体ケース、３は前扉、４はガイド板部材である。前扉装着部材１には、横長で概略形状長方形の開口部１１が形成されており、この開口部１１を開閉する前扉３が、左右の支軸３１に回動可能に軸着されている。
【００１４】
前扉３に隣接して前扉装着部材１に、球の通過をカウントする球計数センサー５が入賞口として配設されている。この形態においては、球計数センサー５は開口部１１の一方の端部に配設されている。本体ケース２内には、前扉開閉レバー６が配設されており、さらに本体ケース２の後方には前扉開閉用のソレノイド７が放熱板の役割も兼ねた支持部材８とともに取り付けられている。
【００１５】
ガイド板部材４は平面視コの字状であって、左右の支持板４１に直交してガイド板４２が垂直状に設けられている、ガイド板４２は、図３、４に示すように、開口部１１の拡幅方向と平行に配設されていて、開口部１１前方を覆っている。前扉装着部材１の前面とガイド板４２裏面との間は、球一個が通過可能な隙間をもって離間されている。
【００１６】
前扉３の詳細を、図１、４〜６により説明する。
前扉３は下端の支軸３１を中心にして回動され、上端が上向きのときには開口部１１を閉鎖し、上端が遊技者のいる前向きのときに開口部１１を開放する。ストッパー４３が左右の支持板４１の内側に突設されており、これらが前扉３と当接することで、前扉３の最大開放位置を規制している。前扉３の前面３２は、前扉３が開口部１１を閉鎖したときに前扉装着部材１の前面３２から突出することがないよう、平坦に形成されている（図６）。
【００１７】
前扉３の裏面には、略三角柱状のガイド部３３が横に伸びて形成され、また、裏面の一端には球入賞用の板状部３４が設けられている。ガイド部３３は円弧面３５を有し、前扉３が前傾されたときにこの円弧面３５は、球をガイド板４２との間で挟持することができる。円弧面３５は、板状部３４に向けて徐々に曲率半径が小さくなるように形成されていて、挟持される球の中心が、図４中左から右に掛けて（すなわち板状部３４の方に向けて）球が少しずつ沈み込むように形成されている。したがって、ガイド部３３の上に乗った球は、板状部３４の方向にゆっくり流下することができる。また、ガイド部３３と板状部３４との間も球が少しずつ沈み込むように流下するように形成されている。したがって、ガイド部３３と板状部３４との間を滑らかに流下することができる。
【００１８】
板状部３４に隣接して球計数センサー５が、球計数センサー５内部で球が滞留しないように後方に傾斜させて縦向きに開口部１１内に配置されている。板状部３４は、球が乗っている時間を短くするために、球計数センサー５に向けて急斜面に形成してある。したがって、球計数センサー５が所定の球数をカウントし、前扉３が閉鎖された場合にも、板状部３４上の球を入賞球として余分に取り込んでしまうことはない。
【００１９】
前扉の開閉構造について、図７〜１０により説明する。
通常の遊技状態においては、ソレノイド７のプランジャー７１はバネ７２の弾性力によって突出しているので、前扉開閉レバー６の枝部６１を押圧している。この押圧によって前扉開閉レバー６は支軸６２を中心に回動して係合部６３が前扉３の下端部３６を押圧するので、前扉３の上端は上向きに位置して開口部１１は閉鎖されている（図７、８）。
【００２０】
遊技の状態が大当たりとなった場合には、ソレノイド７の通電によりプランジャー７１が吸引されるので、枝部６１の押圧は解除される。この解除によって、前扉開閉レバー６は、バランス６４のウエイト及び通電により励磁されたプランジャー７１が枝部６１の先端に設けた金属部分を吸引することにより回動し、係合部６３は持ち上げられて、前扉３の回動用突起３７を押圧するので、前扉３自体のウエイトも手伝って前方に傾動されることとなる（図９、１０）。
【００２１】
以上のように構成された入賞装置においては、大当たりが発生すると、前扉３が開放される。ガイド部材４内に飛び込んだ球は、ガイド部３３とガイド板４２とにより挟持されつつ板状部３４の方向にゆっくり移動する。板状部３４に乗った球は直ちに球計数センサー５を通過して入賞する。
【００２２】
球計数センサー５が所定の数球をカウントすると直ちにソレノイド７の通電により前扉３は閉鎖される。前扉３が閉鎖されることによって、円弧面３５が支軸３１を中心とした曲面であるためにガイド部３３に乗っていた球はガイド部３３から抵抗を受けることがないので後方に導かれず、ガイド部３３とガイド板４２との間に形成された球の通過が可能な隙間から下方に落下することとなる。よって、計数完了後に予定数以上の球を入賞させることはない。また、ガイド部３３には円弧面３５が形成してあって、前扉３が閉鎖されるときに掛かる球の抵抗がほとんどないので、従来よりもソレノイドを小型化できる。
【００２３】
なお、板状部３４を前扉３の中央に設置したり、板状部３４を前扉３の両端に夫々設置したりしてもよいが、本実施例のように板状部３４を前扉の一端に設置するのが球詰まりを起こす可能性が少ないため望ましい。
【図面の簡単な説明】
【００２４】
【図１】本発明に係る入賞装置の要部を示す斜視図である。
【図２】本発明に係る入賞装置の斜視図である。
【図３】本発明に係る入賞装置の分解斜視図である。
【図４】球が入賞状態にある入賞装置の平面図である。
【図５】図４のＡ−Ａ線断面図である。
【図６】前扉が閉鎖されたときの入賞装置の断面図である。
【図７】前扉が閉鎖中の開閉構造を示す斜視図である。
【図８】前扉が閉鎖中の開閉構造を示す側面図である。
【図９】前扉が開放中の開閉構造を示す斜視図である。
【図１０】前扉が開放中の開閉構造を示す斜視図である。
【符号の説明】
【００２５】
３  前扉、１１  開口部、３３  ガイド部、４２  ガイド板、
【図１】
0004956305.tif 000002
【図２】
0004956305.tif 000003
【図３】
0004956305.tif 000004
【図４】
0004956305.tif 000005
【図５】
0004956305.tif 000006
【図６】
0004956305.tif 000007
【図７】
0004956305.tif 000008
【図８】
0004956305.tif 000009
【図９】
0004956305.tif 000010
【図１０】
0004956305.tif 000011